Podtech/llm-jp-corpus-v4-ja_patent huggingface dataset:
(57)【要約】      （修正有）【課題】腕に取りつけ、片手で操作できる医療用テープカッター具を提供する。【解決手段】テープをはめ込む支柱２と、テープが外れないための押さえ蓋３と、テープをカットする刃４を備え付けたアーム型台座１を、腕に取り外しのきくベルト５に固定し、片手でテープを巻き取りカットできるようにして医療用テープカッター具１０を構成する。【選択図】図２
0003150031.tif 000002
【実用新案登録請求の範囲】
【請求項１】
腕に取り外しのできるポリプロピレン製のアーム型の上に、テープをはめ込む支柱と、そのテープをカットする刃を固定させ、アーム型の下には腕に巻きつけるマジックテープの付いたベルトで固定し、片手でテープが容易に切れることを特徴とした医療用テープカッター具。
【考案の詳細な説明】
【背景技術】
【０００１】  医療用テープを使用する際、始めからテープがセットされている置型事務用テープカッターとは違い、テープの始まりを探すのが大変で、これが特に緊急時になるといらいらしていまい、片手でテープを持ちもう一方の手でテープを切るというように両手を使わなくてはいけなく時間もかかります。
【考案を実施するための最良の形態】
【０００２】  腕に取り外しのてきるポリプロピレン製のアーム型１上に、テープをはめ込む支柱２と、テープが外れないための押さえ蓋３と、テープをカットする刃４を固定させ、片手でテープを巻き取りカットできる医療用テープカッター具１０。アーム型の下には腕に巻いて固定させるための、マジックテープ付きベルト５が付いてある。
【図面の簡単な説明】
【０００３】
【図１】  本考案にかかる医療用テープカッター具の右側面図
【図２】  本考案にかかる医療用テープカッター具の左側面図
【符号の説明】
【０００４】医療用テープカッター具              １０
腕に巻くポリプロピレン製のアーム型    １
テープをはめ込む支柱                  ２
テープをはめ込んだ支柱を押さえる蓋    ３
テープカット刃                        ４
マジックテープ付きベルト              ５
【図１】
0003150031.tif 000003
【図２】
0003150031.tif 000004
【手続補正書】
【提出日】平成21年1月29日(2009.1.29)
【手続補正１】
【補正対象書類名】実用新案登録請求の範囲
【補正対象項目名】全文
【補正方法】変更
【補正の内容】
【実用新案登録請求の範囲】
【請求項１】
テープとテープをカットする刃を固定したアーム型の台座を、腕に巻きつけるベルトに固定し、片手でテープが切れることを特徴とした医療用テープカッター具。
【手続補正２】
【補正対象書類名】明細書
【補正対象項目名】０００２
【補正方法】変更
【補正の内容】
【０００２】テープをはめ込む支柱２と、テープが外れないための押さえ蓋３と、テープをカットする刃４を備え付けたアーム型台座１を、腕に取り外しのきくベルト５に固定し、片手でテープを巻き取りカットできる医療用テープカッター具１０。
【手続補正３】
【補正対象書類名】明細書
【補正対象項目名】０００４
【補正方法】変更
【補正の内容】
【０００４】医療用テープカッター具                                  １０
アーム型台座                                              １
テープをはめ込む支柱                                      ２
テープをはめ込んだ支柱を押さえる蓋                        ３
テープカット刃                                            ４
ベルト                                                    ５
(57)【要約】      （修正有）【課題】安価で提供でき、変化に富み、美的感覚に優れ、且つ簡便な方法による実用性を備えたバッグの製作を提供する。【解決手段】２枚の方形状の略同寸の布を、中心点で位置を４５度ずらして、上下外表に重ね合わせ、２枚の方形状の布の交点と中心点を通る対角線上及び底部としての中心部を縫着し、いずれか一方の布における４箇所の布角部のうち、隣り合う２箇所ずつを、引きに強い「真結び」で結び、把手に絡めることで、平面の布から構成する複数のポケットを有する立体的で実用性の高いバッグとなる。【選択図】図１
0003150037.tif 000002
【実用新案登録請求の範囲】
【請求項１】
２枚の方形状の略同寸の布を、中心点の位置を４５度ずらして、上下外表に重ね合わせ、中心点を通る対角線上及び底部としての中心部を縫着し、夫々の角部の結び目の位置により、平面の布からポケット８ケ所を有する立体的で実用性の高いバッグを作成する。
【請求項２】
方形の布を２枚重ねて縫着することで重量に対する耐力が増強され、更に、上記の形状の布の角部を、結び目により把手と組み合わせることで、バッグとして一層の機能性と利便性を発揮できる。
【請求項３】
上下に重ねた布は、染物・織物を問わず、文様・色彩・材質の取り合わせの妙を、意識して選択することでリバーシブルにも効果的に用いられ、方形の布の寸法で更に変化を伴い、あらゆる年齢層、あらゆる場面で使用可能なバッグとなる。
【考案の詳細な説明】
【技術分野】
【０００１】本考案は、２枚の方形布を中心点で４５度ずらして重ね、簡単な縫着により角部の結び目の位置を工夫して把手との組み合わせも併せ、変化に富む安価で実用的なバッグの作成に関するものである。
【背景技術】
【０００２】従来、風呂敷などに代表される方形の布は、包み物としての活用が主であった。
【特許文献１】実用新案登録第  ３０９９５０９号
【特許文献２】実用新案登録第  ３１２２７３３号
【特許文献３】実用新案登録第  ３１２９９４９号
【考案の開示】
【考案が解決しようとする課題】
【０００３】従来、バッグの多くは皮革製などで、家庭での洗濯が難しく清潔を保持しがたかった。また、価格的にも高価であり、かさばるので置き場所を要する。２枚の布を用い国際的に通用する美的感覚に優れた立体的で実用に即し、尚、安価である婦人用手提げバッグを提案する。
【課題を解決するための手段】
【０００４】用いる２枚の方形布の素材は基本的には問わないが、家庭で簡単に洗濯出来るポリエステル・木綿などが好ましい。中心点で４５度ずらして重ね、縫い目を工夫し、その結果奥行きの深いポケットが簡単に利用できるバッグとなる。布素材により、バッグの底部に当たる中心部分の縫い目を利用して洗濯可能なネルなどの芯地を嵌挿しプロポーションの安定を図ることも好ましい。染物・織物を含め、日本の伝統的な文様の美しさ、深みのある色彩などの取り合わせにより、国際的に普及するような素材の選択をする。また、新しい文様の創造にもつなげたい。ひとつのバッグに原則結び目は２個であるが、引きに強い「真結び」とする。
「真結び」は日常身につけるべき有用な手法である。２枚重ねて４５度位置をずらした方形の布を、縫着することで自然な形で重量に対する耐力が増強され、更に、上記の形状の布の角部を、「真結び」等の結び目により把手と組み合わせることで、バッグとして一層の機能性と利便性を発揮できる。
該バッグは、不要時には平面の布としてコンパクトに折りたため、特に旅行時などには、複数の持参が可能で有効に楽しめる。
【図面の簡単な説明】
【０００５】
【図１】Ａは、上側の布を指す。下側布Ｂとは中心点において４５度の角度をずらし、細い破線の通り、布の中心点を通過する各対角線上にミシン目を４本入れる。中心点から等間隔で袋の底の部分に八角形の縫い目を入れ、更に、１センチ前後の外周を８角形に縫う。その縫い目を底辺とするＡ・Ｂ布の重なる部分の各縫い目に囲われた台形は夫々ポケットとなり、８箇所使用できる（参考写真１）。Ａ布上における隣接する角部のａ１とａ１を把手に絡めて真結びとし、同様にａ２とａ２を把手に絡めて真結びとする。簡単に、８個のポケットを有する立体的なバッグとなる（参考写真２）。Ｂ布上において同様な所作をすれば、表情を変えてリバーシブルに使用できる（参考写真３）。また、Ａ布上においてａ１とａ２、及び他方のａ１とａ２のように対角線上の角部を結び合わせると、まったく表情の異なる巾着様の袋物となる（参考写真６）。
【図２】〔図１〕に依り、立体的に組立たてたバッグ（参考写真２）を正面からスケッチしたものである。
【符号の説明】
Ａ・・・・  布１、
ａ１・・・・Ａ布上における隣接した角部、
ａ２・・・・Ａ布上における反対側の隣接した角部、
Ｂ・・・・  布２、
太い破線・・Ａ布に隠れたＢ布の線、
細い破線    ミシンの縫い目、
【図１】
0003150037.tif 000003
【図２】
0003150037.tif 000004
【手続補正書】
【提出日】平成21年1月30日(2009.1.30)
【手続補正１】
【補正対象書類名】実用新案登録請求の範囲
【補正対象項目名】全文
【補正方法】変更
【補正の内容】
【実用新案登録請求の範囲】
【請求項１】
２枚の方形状の略同寸の布を、中心点の位置を４５度ずらして、上下外表に重ね合わせ、２枚の方形状の布の交点と中心点を通る対角線上及び底部としての中心部を縫着し、いずれか一方の布における４箇所の布角部のうち、隣り合う２箇所ずつを、引きに強い「真結び」で結び、把手に絡めることで、平面の布から構成する複数のポケットを有する立体的で実用性の高いバッグ。
【請求項２】
上下に重ねる布は、染物・織物を問わず、文様・色彩・材質の取り合わせの夫々異なったものを選択することで、リバーシブルにも効果的に用いられ、また、方形の布の寸法に変化をつけることで、あらゆる年齢層、あらゆる場面で使用可能となる請求項１記載のバッグ。
(57)【要約】      （修正有）【課題】魚釣りの仕掛けが軽く上下動でき、俊敏な合わせが可能となる糸ふけ吸収スプリング式巻上げリールを提供する。【解決手段】従来よりあるスプリング式巻上げリールの伸縮ライン側にはリングを、またリール本体側にはスナップ付きサルカンを設けることで、魚釣り仕掛けに容易に装着出来るようにした。これによって最下端のオモリが着底した場合、道糸の弛みをスプリング式巻上げリールによって吸収し、魚信を的確に竿に伝える様にしたのと同時に、合わせ時にオモリまで持ち上げなくて良いため俊敏な合わせが可能となった。【選択図】図５
0003150039.tif 000002
【実用新案登録請求の範囲】
【請求項１】
図２及び図３に示すように、スプリング式巻上げリールの本体周上において、伸縮ラインの出入り穴以外の場所にスナップなどの連結具を設けたことを特徴とする糸ふけ吸収スプリング式巻上げリール。
【考案の詳細な説明】
【技術分野】
【０００１】  本考案は、釣具に関するものであり、従来よりある小物をぶら下げる為のスプリング式巻上げリール（ピンオンリールなど）に、工夫を加えることによって、従来の使用目的ではなく、魚釣り仕掛けにおいて、道糸の弛みをスプリング式巻上げリールによって吸収することで、魚信を的確に竿に伝える様にするのと同時に、俊敏な合わせを可能とする。
【背景技術】
【０００２】  図１に示すように、従来から小物をぶら下げることが目的でスプリング式巻上げリール（ピンオンリールなど）はあった。これらはリール本体の中央付近にピンや引っ掛けフックなどが設けてあるのが特徴で、衣服やベルト等に着用し易く作られていた。
【考案の開示】
【考案が解決しようとする課題】
【０００３】  魚釣りの場面において、図４に示す様な魚釣り仕掛け（胴突き仕掛け）の場合、竿先にはオモリの荷重がかかるため、俊敏な合わせが困難である。また仕掛けをオモリごとしゃくり上げた場合、そのオモリの慣性でポイントの棚から仕掛けが抜け出てしまい、釣果にマイナスといえる。本考案はこれらの問題を解決することを課題とする。
【課題を解決するための手段】
【０００４】  この課題を解決するための請求項１の考案は、図２及び図３に示すように、スプリング式巻上げリールの本体周上において、伸縮ラインの出入り穴以外の場所にスナップなどの連結具を設けることで、魚釣り仕掛けに容易に装着出来るようにした。
【考案の効果】
【０００５】  本考案による糸ふけ吸収スプリング式巻上げリールを図５に示す様にオモリの直上に取り付けて魚釣り仕掛けを構成し、オモリが着底した場合、魚信に対して竿を合わせたとき、オモリまで持ち上げなくても伸縮ラインの働きにより、仕掛けが軽く上下動出来るため俊敏な合わせが可能となる。
また、伸縮ラインの張力によって常に仕掛けを張った状態に保つことが出来、細かな魚信にも備えることが出来る。
【考案を実施するための最良の形態】
【０００６】  本考案による糸ふけ吸収スプリング式巻上げリールは、その目的から伸縮ラインの長さは従来の物（ピンオンリールなど）ほど長い必要はない。伸縮ラインが短ければスプリング式巻上げリール本体は小型化でき、潮の流れに影響され難くできる。さらに形や色を工夫することで集魚効果も期待できる。また伸縮ラインの端には連結具としてリングが適当であろう。糸ふけ吸収スプリング式巻上げリールの張力はオモリを持ち上げてしまわない程度で、竿先の上下動に反応し伸縮する強度が良い。
ところで、図２では伸縮ラインの出入り穴の反対側にスナップを設けているのに対し、図３は伸縮ラインの出入りに抵抗が少ないような傾きとなる位置にスナップを設けた例である。この方が伸縮ラインはスムーズに動作し易く、長持ちするであろう。
また本考案の目的で使用する場合スプリング式巻上げリールは海水に対して腐食しない素材が要求される。
【産業上の利用可能性】
【０００７】  本考案に係る糸ふけ吸収スプリング式巻上げリールは工業的に量産する事が可能であるため、産業上の利用可能性を有する。
【図面の簡単な説明】
【００８】
【図１】  従来よりあるスプリング式巻上げリール（ピンオンリールなど）の図面。
【図２】  本考案による糸ふけ吸収スプリング式巻上げリールの図面。
【図３】  本考案による糸ふけ吸収スプリング式巻上げリールの図面。
【図４】  従来よりある魚釣り仕掛け（胴突き仕掛け）の例。
【図５】  本考案による糸ふけ吸収スプリング式巻上げリールを使用した魚釣り仕掛けの例。
【符号の説明】
【００９】  １  ピン
２  伸縮ライン
３  スナップ
４  リング
５  オモリ
６  竿
７  仕掛け
１０  ピンオンリール
２０  糸ふけ吸収スプリング式巻上げリール
３０  海底
【図１】
0003150039.tif 000003
【図２】
0003150039.tif 000004
【図３】
0003150039.tif 000005
【図４】
0003150039.tif 000006
【図５】
0003150039.tif 000007
【手続補正書】
【提出日】平成21年1月29日(2009.1.29)
【手続補正１】
【補正対象書類名】実用新案登録請求の範囲
【補正対象項目名】全文
【補正方法】変更
【補正の内容】
【実用新案登録請求の範囲】
【請求項１】
スプリング式巻上げリールの本体周上において、伸縮ラインの出入り穴以外の場所にスナップなどの連結具を設けたことを特徴とする糸ふけ吸収スプリング式巻上げリール。
(57)【要約】      （修正有）【課題】土手や堤防など屋外の斜面において、ずり落ちを防止し安定して設置できる折り畳み式簡易椅子を提供する。【解決手段】側面が三角形の形状を持つ事により、斜面において、水平な座面を持ち、前面２が、座面３より突出する形状を持つ事により、ずり落ちを防止する。また、シート６と椅子部分に先端がカーブの形状を持つピン９をさすことで、さらにずり落ちを防止する。段ボールを使用し、折り畳む事ができるので、持ち運びにも便利である。【選択図】図１
0003150032.tif 000002
【実用新案登録請求の範囲】
【請求項１】
椅子前面が、座面より突出した形状を持ち、側面が三角形の形状になる事により、斜面で安定した座面を保つことができる簡易椅子。
【請求項２】
座面下に三角形の支え面を持つ請求項１記載の椅子。
【請求項３】
段ボール製の請求項１及び請求項２に記載の椅子。
【請求項４】
折り畳む事が出来る請求項１、請求項２、及び請求項３記載の椅子。
【請求項５】
シート付きの請求項１、請求項２、請求項３及び請求項４記載の椅子。
【請求項６】
請求項１、請求項２、請求項３、請求項４及び請求項５の記載の椅子を、地面に固定させる為のピンは、先端がカーブの形状を持つ。
【考案の詳細な説明】
【技術分野】
【０００１】  屋外で使うシートや椅子、折り畳み椅子に関する。
【背景技術】
【０００２】段ボールを使用した軽量で丈夫な、組み立て式または折り畳み式椅子。屋外で使うシートを、風などで飛ばないように、地面に固定させることにピンを使用する。
【考案の開示】
【考案が解決しようとする課題】
【０００３】従来の折り畳み椅子や、簡易椅子は、平面に置く事を前提に作られていて、斜面に置くことは、あまり考えられていない。同様に、屋外で使用するシートを固定するピンも、斜面で、使うことは考えられていません。（ピンの地面にさす部分は、真っ直ぐな形状をしています。）しかし、近来の花火大会等は、河川で行われる事が多く、また、河川敷で行われる野球の試合の観戦等で、長時間土手や堤防に、座ることも多い。その際、シート等が滑り落ちたり、お尻が痛くなったりと、危険かつ大変でした。そこで、本考案は、斜面において、ずり落ちることなく子供からお年寄りまで、安定かつ、楽に座ることの出来る、軽量な折り畳み式簡易椅子を提供することを目的とする。
【課題を解決するための手段】
【０００４】請求項１の考案は、側面が三角形の形状を持つ事で、斜面に対して、水平な座面を確保でき、椅子の前面が、座面より突出する事により、座面からのずり落ちを防止し、又多少の斜面の角度の違いによる椅子からのずり落ちも回避出来る。座面に、クッションを設ければ長時間座っていても、疲れにくく、快適な座り心地をえられる。【０００５】請求項２の考案により支え面があることで、より安定した座面を保てる。【０００６】請求項３の考案により段ボール製なので軽量で、丈夫である。【０００７】請求項４の考案により折り畳む事が出来るので、持ち運びに便利である。【０００８】請求項５の考案によりシートを付けることで、斜面に寝転ぶ事もでき、まくらを付けることでより楽に過ごせる事が出来る。【０００９】請求項６の考案の先端にカーブの形状を持つピンは、従来の真っ直ぐなものより、地面からぬけにくく、またスチール製であれば丈夫である。【００１０】シート上部と椅子部分に、ハトメ穴をあければ、ピンをさしやすく、穴部分の強度をますことができる。
【考案の効果】
【００１１】請求項１、請求項２、請求項３、請求項４、請求項５、請求項６と、まくらを組み合わせる事により、軽量で持ち運びに便利な、土手等の斜面で使用する安定した快適な椅子を提供出来る。
【考案を実施するための最良の形態】
【００１２】以下、本考案の実施例は、添付図面を参照して説明する。図１、図２は本考案の実施例で、図６は使用例です。まず、請求項１の椅子の座面下の請求項２の三角の支え部分（図３の４）を２つたてて（支え面には、倒すとき倒しやすいひも付き）、請求項１の椅子を組み立てる。斜面に対し、図１の１の面（接地面）を、地面にあて請求項５のシートを山側にひろげる。接地面（図１の１）のハトメ穴とシート上部のハトメ穴（共に図１の８）に請求項６のピン（図１の９、図５）を先が下向きになるように、左右合計４本地面にさして、ずり落ちを防止する。寝そべる時に、まくら（図１の７）は好みの位置で使用する。
【産業上の利用可能性】
【００１３】本考案の椅子は、花火大会の会場等、また土手や堤防で座る時に、便利である。
【図面の簡単な説明】
【図１】  全体図
【図２】  側面図
【図３】  椅子部分の透視図
【図４】  折り畳んだ状態図
【図５】  ピンの形状図
【図６】  使用例
【符号の説明】
【００１４】１  椅子の接地面
２  椅子の前面
３  椅子の座面
４  椅子の内部の支え面
５  椅子のクッション
６  シート
７  まくら
８  ハトメ穴
９  先端がカーブの形状を持つピン
【図１】
0003150032.tif 000003
【図２】
0003150032.tif 000004
【図３】
0003150032.tif 000005
【図４】
0003150032.tif 000006
【図５】
0003150032.tif 000007
【図６】
0003150032.tif 000008
【手続補正書】
【提出日】平成21年1月28日(2009.1.28)
【手続補正１】
【補正対象書類名】実用新案登録請求の範囲
【補正対象項目名】全文
【補正方法】変更
【補正の内容】
【実用新案登録請求の範囲】
【請求項１】
椅子の前面が、座面より上方に突出した形状を持ち、椅子の側面が三角形の形状になる事により、斜面で安定した座面を持つことができる簡易椅子。
【請求項２】
座面下に三角形の支え面を持つ請求項１記載の椅子。
【請求項３】
段ボール製の請求項１または請求項２記載の椅子。
【請求項４】
折り畳む事が出来る請求項１、請求項２または請求項３記載の椅子。
【請求項５】
シート付きの請求項１、請求項２、請求項３または請求項４記載の椅子。
【請求項６】
地面に固定させる為の、先端がカーブの形状を持つピンを備えた、請求項１、請求項２、請求項３、請求項４または請求項５記載の椅子。
(57)【要約】      （修正有）【課題】住宅等小規模建築物において水道配管経路に貯水タンクを設け断水時に貯水タンクの新鮮な水道水を使える設備を提供する。【解決手段】蛇口の上流に貯水タンクを設置し、常時、水道水は貯水タンクを経由して排出されるように構成する。貯水タンクは、１０Ｌから２０Ｌ規模のポリタンクを使用し、端末蛇口の上流に止水栓を取り付ける。【選択図】図２
0003150038.tif 000002
【実用新案登録請求の範囲】
【請求項１】
1戸建て住宅等小規模建築物において水道配管経路に
貯水タンクを設け断水時に貯水タンクの新鮮な水道水を
使える経路と設備とする。
【考案の詳細な説明】
【技術分野】
【０００１】
本考案は従来一般低層住宅において水道水は直結式であり
断水時は使用不可能となってしまう。この直結式を変更せずに
給水端末に貯水タンクを取り付けるもの。常時貯水タンクを経由し
て使用する。
【背景技術】
【０００２】
現状の1戸建て住宅はほとんどが市水道管に直結し断水時は
即使用不能となる。
【０００３】
以前より、地震等において、断水すると1戸建て住民は給水車を待つか
汲み置きの古い水を使うこととなる。
【０００４】
これらを解決して断水当初の対策として、各戸に貯水タンクがあり、その水が
常時新鮮なものであればよい。また自家用だけでなく近隣に手で運べる
大きさ、重さのタンクの集合体とすることで近隣にも分けることができる。
【０００５】
この改善策として、給水経路に貯水タンクを設置すること。
【特許文献１】特許出願平１０−１１２８７６特許出願平１０−５１３８１特許出願平９−２９８１４６特許出願２００３−２７８３１８
【考案の開示】
【考案が解決しようとする課題】
【０００６】
解決しようとする問題点は、1戸建て住宅等の直結式の給水でも貯水タンクを
安価に設置し断水時に新鮮な水を確保すること。
【課題を解決するための手段】
【０００７】
本考案は、常時給水の経路上に貯水タンクがあり新鮮さを保っている
こと。その貯水タンクを容易に取り外せること。
【考案の効果】
【０００８】
本考案の貯水タンクは現状のポリタンク程度で良いが、凍結、結露などの防止
を必要とする。また常時水圧がかかっておりそれ耐える構造とする。
この設置場所が必要となるが、従来のように本格的なものでなくて良い。
よって設置が従来より安価であり、増築等においても設置が容易である。
さらに常に新鮮な水道水を飲料水として使える。
【考案を実施するための最良の形態】
【０００９】
10Ｌから２０Ｌ規模の貯水ポリタンクの組み合わせたもの１個以上を
端末蛇口の上流に設置、止水栓を取り付ける。  
【図面の簡単な説明】
【００１０】
【図１】従来の給水図水道水は直結で蛇口まで接続。
【図２】本考案の給水図蛇口の上流に貯水タンクを設置し（図面は２個）常時水道水は貯水タンクを経由して排出される。
【図１】
0003150038.tif 000003
【図２】
0003150038.tif 000004
【手続補正書】
【提出日】平成21年1月27日(2009.1.27)
【手続補正１】
【補正対象書類名】実用新案登録請求の範囲
【補正対象項目名】全文
【補正方法】変更
【補正の内容】
【実用新案登録請求の範囲】
【請求項１】
住宅等小規模建築物において水道配管経路に貯水タンクを設け断水時に貯水タンクの新鮮な水道水を使える設備。
【手続補正２】
【補正対象書類名】明細書
【補正対象項目名】全文
【補正方法】変更
【補正の内容】
【考案の詳細な説明】
【技術分野】
【０００１】本考案は従来一般住宅において水道水は直結式であり断水時は使用不可能となってしまう。この直結式を変更せずに給水端末に貯水タンクを取り付けるもの。常時貯水タンクを経由して使用する。
【背景技術】
【０００２】現状の住宅はほとんどが市水道管に直結し断水時は即使用不能となる。【０００３】以前より、地震等において、断水すると住民は給水車を待つか汲み置きの古い水を使うこととなる。【０００４】これらを解決して断水当初の対策として、各戸に貯水タンクがありその水が常時新鮮なものであればよい。また自家用だけでなく近隣に手で運べる大きさ、重さのタンクの集合体とすることで近隣にも分けることができる。【０００５】この改善策として、給水経路に貯水タンクを設置すること。
【特許文献１】特許出願平１０−１１２８７６  特許出願平１０−５１３８１  特許出願平９−２９８１４６  特許出願２００３−２７８３１８
【考案の開示】
【考案が解決しようとする課題】
【０００６】解決しようとする問題点は、住宅等の直結式の給水でも貯水タンクを安価に設置し断水時に新鮮な水を確保すること。
【課題を解決するための手段】
【０００７】本考案は、常時給水の経路上に貯水タンクがあり新鮮さを保っていること。その貯水タンクを容易に取り外せること。
【考案の効果】
【０００８】本考案の貯水タンクは現状のポリタンク程度で良いが、凍結、結露などの防止を必要とする。また常時水圧がかかっておりそれに耐える構造とする。この設置場所が必要となるが、従来のように本格的なものでなくて良い。よって設置が従来より安価であり、増築等においても設置が容易である。さらに常に新鮮な水道水を飲料水として使える。
【考案を実施するための最良の形態】
【０００９】１０Ｌから２０Ｌ規模の貯水ポリタンクの組み合わせたもの１個以上を端末蛇口の上流に設置、止水栓を取り付ける。
【図面の簡単な説明】
【００１０】
【図１】従来の給水図  水道水は直結で蛇口まで接続。
【図２】本考案の給水図  蛇口の上流に貯水タンクを設置し（図面は２個）  常時水道水は貯水タンクを経由して排出される。
【手続補正３】
【補正対象書類名】図面
【補正対象項目名】全図
【補正方法】変更
【補正の内容】
【図１】
0003150038.tif 000005
【図２】
0003150038.tif 000006
(57)【要約】【課題】従来、産業廃棄物として、廃棄・処理されていた籾殻を、この固形燃料製造装置を用い、この固形燃料製造装置を、トラック等の車両に搭載可能に設置し、籾殻が発生する現場まで車両で移動し、その場所で、籾殻を原料とした薪の代替燃料を製造することのできる固形燃料製造装置を開発・提供することにある。【解決手段】車両（１）上に搭載する，架台（２）を設け、該架台（２）を介して、固形燃料（Ｘ）を製造する装置本体（３）を設け、該装置本体（３）の上部には、原料である籾殻（Ｙ）を供給する供給装置（４）を設け、該供給装置（４）は、垂直方向の中途より、倒立可能手段（５）により倒立可能に設けたことを特徴とする車両に搭載した固形燃料製造装置から構成される。【選択図】      図１
0003150003.tif 000002
【実用新案登録請求の範囲】
【請求項１】
車両（１）上に搭載する架台（２）を設け、該架台（２）を介して、固形燃料（Ｘ）を製造する装置本体（３）を設け、該装置本体（３）の上部には、原料である籾殻（Ｙ）を供給する供給装置（４）を設け、
該供給装置（４）は、垂直方向の中途より、倒立可能手段（５）により倒立可能に設けたことを特徴とする車両に搭載した固形燃料製造装置。
【考案の詳細な説明】
【技術分野】
【０００１】
この考案は、車両に搭載した固形燃料製造装置であり、特に、籾殻を使用し、薪の代替燃料を製造する車両に搭載した固形燃料製造装置である。
【背景技術】
【０００２】
従来、籾殻は、米を包んでいる外皮であり、もみ、あるいは、籾糠とも称し、脱穀して米を取り去った後は、産業廃棄物に過ぎなかった。
【０００３】
そして、この籾殻を焼却処分することは、地球温暖化の原因となる二酸化炭素（ＣＯ2 ）の排出が懸念される。
【０００４】
そこで、この籾殻を用い、高密度圧縮して薪の代替燃料を製造する固形燃料製造装置が、開発されている。例えば、特許文献１のように。
【先行技術文献】
【特許文献】
【０００５】
【特許文献１】特許第２５６７３２４号公報
【考案の概要】
【考案が解決しようとする課題】
【０００６】
そこで、この考案の課題は、従来、産業廃棄物として、廃棄・処理されていた籾殻を、この固形燃料製造装置を用い、この固形燃料製造装置を、トラック・軽四輪の車両に搭載可能に設置し、籾殻が発生する現場まで車両で移動し、その場所で、籾殻を原料とした薪の代替燃料を製造することのできる固形燃料製造装置を開発・提供することにある。
【課題を解決するための手段】
【０００７】
上記の課題を解決するため、本件の考案者は、産業廃棄物である籾殻を、廃棄・処理する手間を省くため、廃棄・処理現場まで車両に搭載し、その場で、棒状体の固形燃料を製造できる車両に搭載した固形燃料製造装置を開発・提供することにある。
【考案の効果】
【０００８】
この考案によると、産業廃棄物である，籾殻を現場まで収集して、該籾殻をすり潰すと同時に圧縮・連続押し出し成形により、固形燃料を車両上で製造することができ、出来上がった固形燃料を車上に載置したままで搬送することができ、また、車両に搭載した供給装置は、この固形燃料製造装置を稼働しない場合、即ち，走行・移動中には、倒して走行するため、搭載したままでも、車高制限に対して問題は生ぜず、又、産業廃棄物であり、しかも嵩張る籾殻を、車上で棒状の燃料に加工できる等極めて有益なる効果を奏する。
【図面の簡単な説明】
【０００９】
【図１】実施の形態１で説明する本考案の固形燃料製造装置の使用状態の一例を示す一部欠截側面図である。
【図２】実施の形態２で説明する本考案の固形燃料製造装置の不使用使用状態の一例を示す一部欠截側面図である。
【考案を実施するための形態】
【００１０】
以下、本考案について詳細に説明する。なお、本発明においては、以下の記述に限定されるものではなく、本考案の要旨を逸脱しない範囲においては適宜変更可能である。
【実施例】
【００１１】
本考案の一実施例を図面に基づいて詳述すると、車両（１）上に搭載する，架台（２）を設け、該架台（２）を介して、固形燃料（Ｘ）を製造する装置本体（３）を設け、該装置本体（３）の上部には、原料である籾殻（Ｙ）を供給する供給装置（４）を設け、該供給装置（４）は、垂直方向の中途より、倒立可能手段（５）により倒立可能に設けたことを特徴とする車両に搭載した固形燃料製造装置から構成される。
【００１２】
尚、本考案の装置本体（３）からは、その一例として中心部に穴径１５ｍｍで肉厚で直径５５ｍｍ程度の棒状体の固形燃料（Ｘ）が製造されるものであるが、固形燃料（Ｘ）の形状は、特に限定しない。
【００１３】
また、本件の架台（２）に固定された装置本体（３）と供給装置（４）は、架台（２）を介して車両に固定してもよく、また、搭載自在に設けてもよい。
【００１４】
さらに、装置本体（３）を詳細に説明すると、装置本体（３）は既存の装置であり、水分含有量１５％未満の乾燥された籾殻を必要な適量を装置本体（３）に供給し、微粉砕し、排出側へ向けて移動させながら圧縮の負荷を荷担させ、かつ、摩擦熱により、微粉砕した籾殻から水蒸気を発生させて、縄のように曲がりながら排出され、これを筒状の型枠フレームで受け、棒状体の固形燃料（Ｘ）とするものである。
【００１５】
そして、供給装置（４）を詳細に説明すると、上方より籾殻を内部に挿入し、少なくとも装置本体（３）と連通する筒状の供給装置（４）は、上・下に分かれており、下端部は、ホッパー状になっており、前記装置本体（３）と連通している。また、供給装置（４）の壁面には内部の状況が見えやすいように透明アクリル板の覗き穴を複数個設けており、さらに、上限および下限センサーを設け、籾殻の流入・流出を検知できるよう構成されている。
【００１６】
また、倒立可能手段（５）の一例を詳述すると、供給装置（４）の架台（２）の上端部付近で分割して設け、上・下の供給装置（４ａ）（４ｂ）を蝶番（５ａ）を介して固定すると共に、ガスダンパー等の緩やかに作動する緩衝具（５ｂ）にて転倒時の衝撃を緩和させるものであり、従って、緩衝させるための器具であれば、ガスダンパーに限定されるものではない。
【００１７】
さらに、架台（２）には吸い込みファン（６）を設け、該ファンを作動させて吸引することにより、籾殻（Ｙ）の投入をし易くするものである。
【産業上の利用可能性】
【００１８】
この考案のよると、車両に搭載した固形燃料製造装置の製造技術を確立し、それに基づいて製造・販売することにより、産業上の利用可能性があるものである。
【符号の説明】
【００１９】
１  車両
２  架台
３  装置本体
４  供給装置
４ａ  上供給装置
４ｂ  下供給装置
５  倒立可能手段
５ａ  蝶番
５ｂ  緩衝具
６  吸い込み用ファン
Ｘ  固形燃料
Ｙ  籾殻
【図１】
0003150003.tif 000003
【図２】
0003150003.tif 000004
(57)【要約】      （修正有）【課題】板状部のスキマがしっかり髪を巻き付けるヘアカーラーを提供する。【解決手段】成型された棒状体と刃物で弾性体の板を打ち抜いた板状に穴のあいたものを組み合わせて作る。弾性体に熱をかけることがないので、変色変質したりすることがない。熱線で切るような熟練を必要とせず、棒状体に弾性体をのばしてはめ込むだけなので、熟練を要せず多人数で大量に生産する事ができる。板状部と板状部の面の間に髪がしっかりとはさまり、強く髪をまきつけることができる。【選択図】図１８
0003150046.tif 000002
【実用新案登録請求の範囲】
【請求項１】
棒状部に複数の弾性をもつ板状部をはめこんだヘアカーラー。
【考案の詳細な説明】
【技術分野】
【０００１】本考案は頭髪を巻いてカールさせるためのヘアカーラーに関するものである。
【背景技術】
【０００２】従来の弾性体で髪をカールするヘアカーラーの平面図が〔図１〕、左側面図が〔図２〕である。〔図１〕のア−ア‘の断面図が〔図３〕である。材質はウレタンスポンジで作られている。
【考案の開示】
【考案が解決しようとする課題】
【０００３】従来のヘアカーラー〔図１〕は〔図３〕の断面図からわかるようにキノコを二つ合わせたような型をしている。この形状は熱線でウレタンスポンジをカットしてつくられている。ウレタンに熱をかけると変色したり変質したりする。また生産に熟練を要し、大量に生産することが難しいという問題がある。また従来の〔図１〕のカーラーはスポンジ部を〔図４〕のように開いて〔図５〕のように髪を巻いて、閉じたのが〔図６〕であり、髪を押さえている部分がＡ，Ｂ，Ｃ，の部分のみで髪をはさみつける力が弱い。
【課題を解決するための手段】
【０００４】〔図８〕が本考案の平面図である。〔図７〕は本考案の左側面であり〔図９〕は右側面図である。本考案は平面図〔図１１〕、左側面図〔図１０〕、右側面図〔図１２〕で示される棒状体に平面図〔図１３〕、側面図〔図１４〕で示される板状の弾性体を多数はめこんで本考案のヘアカーラーをつくる。
【考案の効果】
【０００５】本考案〔図８〕は〔図１１〕の成型された棒状体と〔図１３〕〔図１４〕で示される刃物で弾性体の板を打ち抜いた板状に穴のあいたものを組み合わせて作る。弾性体に熱をかけることがないので、変色変質したりすることがない。熱線で切るような熟練を必要とせず、棒状体に弾性体をのばしてはめ込むだけなので、熟練を要せず多人数で大量に生産する事ができる。本考案で髪をまいた平面図が〔図１６〕であり、左側面図が〔図１５〕、右側面図が〔図７〕である。本考案は従来のヘアカーラー〔図６〕のようにＡ，Ｂ，Ｃ，Ｄの部分のみで髪をはさむのではなく、〔図９〕が髪を巻いたときの一部の図であるが、板状部と板状部の面の間に髪がしっかりとはさまり、強く髪をまきつけることができる。〔図１８〕は髪を本考案のヘアカーラーで巻いた斜視図であり、スキマがよく髪をとらえることがわかる。
【実施例】
【０００６】〔図１１〕の棒状体と〔図１３〕の板状体をはめこむだけで簡単にできたのが〔図８〕である。〔図１８〕〔図１９〕のように従来のカーラーに比べて板状部のスキマがしっかり髪を巻き付けている。
【産業上の利用可能性】
【０００７】従来のカーラー〔図１〕に比べて、熟練が必要なく、多量かつ安価にヘアカーラーを提供することができる。
【図面の簡単な説明】
【０００８】
【図１】従来のヘアカーラーの平面図
【図２】従来のヘアカーラーの左側面図
【図３】従来のヘアカーラー〔図１〕のアーア‘の断面図
【図４】従来のヘアカーラーのスポンジを開いた図
【図５】従来のヘアカーラーで髪を巻いた図
【図６】従来のヘアカーラーで髪を巻いてとじた図
【図７】本考案の左側面図
【図８】本考案の平面図
【図９】本考案の右側面図
【図１０】本考案を構成する棒状部の左側面
【図１１】本考案を構成する棒状部の平面図
【図１２】本考案を構成する棒状部の右側面図
【図１３】本考案を構成する弾性板状部の平面図
【図１４】本考案を構成する弾性板状部の側面図
【図１５】本考案で髪をはさんだ時の左側面図
【図１６】本考案で髪をはさんだ時の平面図
【図１７】本考案で髪をはさんだ時の右側面図
【図１８】本考案で髪をはさんだ時の斜視図
【図１９】〔図１８〕の一部を拡大した図
【図１】
0003150046.tif 000003
【図２】
0003150046.tif 000004
【図３】
0003150046.tif 000005
【図４】
0003150046.tif 000006
【図５】
0003150046.tif 000007
【図６】
0003150046.tif 000008
【図７】
0003150046.tif 000009
【図８】
0003150046.tif 000010
【図９】
0003150046.tif 000011
【図１０】
0003150046.tif 000012
【図１１】
0003150046.tif 000013
【図１２】
0003150046.tif 000014
【図１３】
0003150046.tif 000015
【図１４】
0003150046.tif 000016
【図１５】
0003150046.tif 000017
【図１６】
0003150046.tif 000018
【図１７】
0003150046.tif 000019
【図１８】
0003150046.tif 000020
【図１９】
0003150046.tif 000021
【手続補正書】
【提出日】平成21年1月28日(2009.1.28)
【手続補正１】
【補正対象書類名】実用新案登録請求の範囲
【補正対象項目名】全文
【補正方法】変更
【補正の内容】
【実用新案登録請求の範囲】
【請求項１】
棒状体に、板状に穴のあいた、弾性をもつ板状体を複数はめこんだヘアカーラー
(57)【要約】      （修正有）【課題】ドライヤの熱風が植設台に遮られることなく直接髪に当たり易いヘアブラシを提供する。【解決手段】ブラシ部を１本の棒状にし、この棒状のブラシ部をすきまを開けて複数並べてキャップ部とハンドル部で結合することにより１個のヘアブラシを構成する。【選択図】図７
0003150044.tif 000002
【実用新案登録請求の範囲】
【請求項１】
ブラシ部を１本の棒状にし、この棒状のブラシ部を複数組み合わせて構成されるヘアブラシ。
【考案の詳細な説明】
【技術分野】
【０００１】本考案は髪をセットするヘアブラシに関するものである。
【背景技術】
【０００２】従来のブラシは平面図［図１］、左側面図［図２］のようにできている。
【考案の開示】
【考案が解決しようとする課題】
【０００３】従来のブラシは［図１］［図２］のように、多くの毛が一面の植設台に設けられている。ドライヤーをあてて髪をセットしようとしても、ドライヤーの熱風が植設台にあたって、髪にあたらず、髪をセットするのに時間がかかったり、ドライヤーの熱が長時間あたることにより、ヘアブラシをいためてしまうことがある。
【課題を解決するための手段】
【０００４】本考案の側面図［図３］、右側面図［図４］、平面図［図５］である。ブラシ部を１本の棒状でつくり、これを複数集めて［図６］のようなブラシを作る。
【考案の効果】
【０００５】［図６］は本考案で作ったヘアブラシの斜視図である。本考案のブラシを並べて出来ている。このブラシ部の間にはすきまがあり、従来のブラシ［図１］のように植設台にさえぎられることなく、このすきまを通して直接ドライヤーの熱風を髪にあてることができる。
【実施例】
【０００６】［図７］は本考案の分解図である。このように［図３］［図４］［図５］で示されるブラシ部をキャップ部とハンドル部にすきまを作って固定する。
【産業上の利用可能性】
【０００７】本考案［図６］のようにすきまをあけることにより、ドライヤーの熱風を髪に直接あてることにより早くセットができる。従来のブラシより早くセットができるため、髪をいためにくくなる。
【図面の簡単な説明】
【０００８】
【図１】従来のブラシの平面図。
【図２】従来のブラシの側面図。
【図３】本考案の側面図。
【図４】本考案の右側面図。
【図５】本考案の平面図。
【図６】本考案でできたブラシの斜視図である。
【図７】本考案でできたブラシの分解図である。
【図１】
0003150044.tif 000003
【図２】
0003150044.tif 000004
【図３】
0003150044.tif 000005
【図４】
0003150044.tif 000006
【図５】
0003150044.tif 000007
【図６】
0003150044.tif 000008
【図７】
0003150044.tif 000009
【手続補正書】
【提出日】平成21年1月28日(2009.1.28)
【手続補正１】
【補正対象書類名】実用新案登録請求の範囲
【補正対象項目名】全文
【補正方法】変更
【補正の内容】
【実用新案登録請求の範囲】
【請求項１】
ブラシ部を１本の棒状にし、この棒状のブラシ部を、すきまを開けて複数並べて構成されるヘアブラシ
(57)【要約】【課題】  電池を不要とし、従ってピ−音がなく、もちろん、音量調整の手間も無く、耳穴の違和感が無く、自然の音質が優しく耳に浸透する。軽便な補聴器を提供する。【解決手段】  外方に膨らみ湾曲した卵形状の化粧板の内面は、ド−ム状の凹球面になっており、給気孔から流入する音声は、ド−ムの球面に反響・増幅し、耳穴に一点集中の、優しい生の音質が生まれるのである。また、化粧板と接着合体した環状フックは、本体外縁を内側にＬ形に折り曲げられて、しっかり耳かくを挟み込み、耳朶は上方に巻き上げることで、座りも良くなり、フイットさせるのである。環状フックの先端にある丸断面・環状の伝導帯ポイントは、本体の保持・安定をカバ−すると共に、密着している頭骨への骨伝導により音質を更に高めるものである。なお、ド−ム球面の曲線の数値は、最良の条件にそうよう選択されている。【選択図】図１
0003150045.tif 000002
【実用新案登録請求の範囲】
【請求項１】
外方に膨らみ湾曲した本体の化粧板と、内面にド−ム状の凹曲面をもつ集音システム。
【請求項２】
本体の外縁を内側にＬ形に折り曲げられた環状フックをもつ懸架システム。
【請求項３】
環状フックの先端には丸断面・環状の伝導帯ポイントをもつ脱落抑止と骨伝導システム。
【請求項４】
本体前方に給気孔を穿った集音取り入れシステム。
【考案の詳細な説明】
【技術分野】
【０００１】  本考案は、日常の会話、テレビ・ラジオ視聴など補聴に資するものである。
【背景技術】
【０００２】  現在流通しているものは電池式が主流である。本考案は電池を使わず自然の音質をそのまま増幅して取り込むものである。
【考案の開示】
【考案が解決しようとする課題】
【０００３】  前項に述べた電気的音質型とは異なり、天然の音質を増幅して取り込むものである。
【課題を解決するための手段】
【０００４】  本考案は上記目的を達成するため、耳穴式ではなく、耳の周囲を覆い、空間を設けて、本体内面の反響ド−ム状の凹曲線に、外部からの音声を取り込むことによって、一点集中に増幅した生の音質が得られるものである。
【考案の効果】
【０００５】  本考案は至って単純な構造であり製作は簡単である。【０００６】  電池の必要がなく、自然のままの音声がストレ−トにド−ムの反響で増幅され、明瞭に聞き取ることができる。【０００７】  環状フックの先端には、丸断面・環状の伝導帯ポイントがあり、脱落抑制と、骨伝導の効果で、音質の明瞭度が向上する。耳朶は上方に巻き上げることで、座りが良くなる。【０００８】  化粧板で耳を覆うことによって、外部からの衝撃を防ぎ従って、保護に有効である。
【考案を実施するための最良の形態】
【実施例】
【０００９】  化粧板の外面は、凸形曲線の化粧板で覆うわれている。【００１０】  化粧板の内面は、反響ド−ム凹曲線に保たれている。硬質合成樹脂等で音響効果＝良。【００１１】  本体の外縁には、環状のＬ形に折り曲げられた、環状フックがあり、化粧板と接着合体するものである。軟質合成樹脂等で耳に優しくなじむ。【００１２】  環状フックの先端には、丸断面・環状の伝導帯ポイントがある。【００１３】  化粧板の前方には、給気孔が穿がかれている。
【図面の簡単な説明】
【００１４】
【図１】  本考案の外観図である。
【図２】  環状フック平面の断面図である。
【図３】  環状フック側面の断面図である。
【図４】  化粧板平面の断面図である。
【図５】  化粧板側面の断面図である。
【符号の説明】
【００１５】  １    化粧板
２    反響ド−ム
３    環状フック
４    伝導帯ポイント
５    給気孔
【図１】
0003150045.tif 000003
【図２】
0003150045.tif 000004
【図３】
0003150045.tif 000005
【図４】
0003150045.tif 000006
【図５】
0003150045.tif 000007
【手続補正書】
【提出日】平成21年2月2日(2009.2.2)
【手続補正１】
【補正対象書類名】実用新案登録請求の範囲
【補正対象項目名】全文
【補正方法】変更
【補正の内容】
【実用新案登録請求の範囲】
【請求項１】
本体と、前記本体の外面に設けてなる外方に膨らみ湾曲した化粧板と、前記本体の内面に設けてなるド−ム状の凹曲部とからなる集音システム。
(57)【要約】      （修正有）【課題】汎用の電動ドリルに取付け可能で、モルタル等の攪拌効率が高く、操作も容易な簡易攪拌混合器を提供する。【解決手段】電動ドリルのチャックに直接取り付ける六角形の鉄筋製やステンレス製のシャフト１に、チャックに付ける位置の反対側のシャフトの下端から適宜の範囲内で、丸型又は平型の鉄筋製やステンレス製で螺旋円柱様形状に加工した部品２の下部と、シャフトを中央にしてその先端部とを、９０度の捻りのある平角鉄筋又は９０度の捻りのある平角ステンレス３とで溶接して繋ぎ、また螺旋円柱様形状上部にあっても、平角鉄筋又は平角ステンレスでシャフトを中央にして溶接し、シャフト部と螺旋円柱様形状部とで構成される、主にモルタル・コンクリート等の建築用途や、その他多様な用途に供される簡易攪拌混合工具を構成する。【選択図】図１
0003150042.tif 000002
【実用新案登録請求の範囲】
【請求項１】
電動ドリルのチャックに直接取り付ける六角形の鉄筋製やステンレス製のシャフトに、チャックに付ける位置の反対側のシャフトの下端から適宜の範囲内で、丸型又は平型の鉄筋製やステンレス製で螺旋円柱様形状に加工した部品の下部と、シャフトを中央にしてその先端部とを、９０度の捻りのある平角鉄筋又は９０度の捻りのある平角ステンレスとで溶接して繋ぎ、また螺旋円柱様形状上部にあっても、平角鉄筋又は平角ステンレスでシャフトを中央にして溶接し、シャフト部と螺旋円柱様形状部とで構成される、主にモルタル・コンクリート等の建築用途や、その他多様な用途に供される簡易攪拌混合工具。
【請求項２】
請求項１に於ける、螺旋円柱様形状部内に於いて、シャフトを中央にして、シャフト先端部から螺旋円柱様形状下部に向かっての接合方法の種類は、任意の位置に、左右対称二方向、或いは等分割三方向、或いはクロス四方向などの形状で、９０度の捻りのある平角鉄筋又は９０度の捻りのある平角ステンレスを溶接してシャフト部と螺旋円柱様形状部とを繋げる構造の簡易攪拌混合工具。
【請求項３】
請求項１に於ける、鉄製にあっては、ナイロン、フッ素等、耐衝撃性、耐摩耗性に優れた材料で被膜する。また、ステンレス製にあっては、電着などの処置を施す、簡易攪拌混合工具。
【考案の詳細な説明】
【技術分野】
【０００１】一般建築道具、及び電動工具部品、及び簡易モルタル製造工具、及び左官、タイル、土木、ブロック、外構工事全般、及び日曜大工道具、他、攪拌用途全般に関わる工具。
【背景技術】
【０００２】アルミ鋳物製とステンレス製の攪拌部を持つ道具があるが、何れも羽根状若しくはスクリュー状と、丸型平板状（部分的に切れ目を作り折り曲げて穴を形成したのもの）であって、何れも螺旋構造のものとは違う。【０００３】平角鉄筋を使用して螺旋形状だけで作られている小型のものがある。【０００４】一般の日曜大工やプロでも時々にしかモルタル等を練る事のない方が手練りをしているが、時間も掛かり、慣れないと手首を傷め腱鞘炎になり易い。
【考案の開示】
【考案が解決しようとする課題】
【０００５】アルミ鋳物製の羽根又は、スクリュー式の攪拌器は、電動ドリルと一体直結型の物が多く、汎用性が無いので、電動ドリルが他の用途では使えない、又、形状の先端が性質上、丸くなっているために隅々の攪拌残留もでき易い。【０００６】ステンレス製の円盤型で平板状のものは、左右運動性はあるが、開口度が少ないために上下の移動に難があり、重量抵抗のあるコンクリートなどの攪拌能力に劣り、また、残留物を防ぐための突起があるために対象の練りバケツが壊れ易い。【０００７】平角鉄筋で螺旋にできているものは攪拌能力があるが、使用鉄筋が細く主に塗装用で使われており、耐久性の点でモルタル使用には適さない。【０００８】モルタル製造時間の短縮を図り、且つ、手首に負担を掛けないようにする。【０００９】プロは勿論、日曜大工の人でも同じ仕上がりのモルタルが、安全確実に作れるようにする。
【課題を解決するための手段】
【００１０】電動ドリルを本来の他の用途にも使用するため、チャック部はそのままにして、取り付け、取り外しの簡便さを維持して、転用可能にする。【００１１】攪拌混合中のモルタル、コンクリートの取り残しは極力防ぐように、また練りバケツを破壊しないように丸く螺旋円柱様形状にする。【００１２】空間を多く取り、捻りを加えた形状がモルタル等の掻き出し、巻き込みをスムーズにして、上下左右の回転移動を楽にする。【００１３】ドリルチャックの応力負担限度一杯の太いシャフトと太い攪拌部で、耐久性を備える。【００１４】攪拌能力を向上させることによって、大きな力を使用せずに上下左右運動を可能にする。【００１５】安全を徹底的に留意するために螺旋円柱様形状にして、平角鉄筋又は平角ステンレスの溶接接合が螺旋状から突出しないようにして、尚且つ、厚地の塗装を施す。
【考案の効果】
【００１６】ある程度の重量感と、そして、捻りのある平角鉄筋又は平角ステンレスが、程よい螺旋間隔が、力をそれほど加えなくとも、対象バケツ内のモルタル等の底に軽易に沈み、上下左右への移動も速やかに、攪拌混合してくれる。
【考案を実施するための最良の形態】
【００１７】１、電動ドリルのチャック部分との接続を、緩み難い確実なものとするために，断面が６角形の鉄筋シャフト材又はステンレスシャフト材１、を使用する。【００１８】２、攪拌部分の螺旋は鉄製又はステンレス製とし、僅かにバネ性も加え丸棒状又は平状で右巻きの螺旋円柱様形状に加工される。【００１９】３、シャフト部と、攪拌部との上部接合は、平角鉄筋又は平角ステンレスの中央をシャフトが通過するように穴を開けて溶接する。【００２０】４、シャフト部と、攪拌部との下部接合は、捻り形状の平角鉄筋又は平角ステンレスを使用して溶接する。
【図面の簡単な説明】
【００２１】
【図１】左右対称二方向の側面図
【図２】左右対称二方向の９０度の別角度位置からの側面図
【図３】左右対称二方向の上面図
【図４】左右対称二方向の下面図
【図５】捻り平角の等分割三方向下面図
【図６】捻り平角のクロス四方向下面図
【符号の説明】
【００２２】              （各図面共通）
１、６角形シャフト。（鉄製又は、ステンレス製）
２、螺旋円柱様形状鉄筋。（又は、螺旋円柱様形状ステンレス）
又は、螺旋円柱様形状平角鉄。（又は、螺旋円柱様形状平角ステンレス）
３、捻り平角鉄筋。（又は、捻り平角ステンレス）
４、螺旋上部の平角鉄筋（又は、平角ステンレス）６角シャフト（鉄製又は、ステンレス    製）貫通後に溶接。
【図１】
0003150042.tif 000003
【図２】
0003150042.tif 000004
【図３】
0003150042.tif 000005
【図４】
0003150042.tif 000006
【図５】
0003150042.tif 000007
【図６】
0003150042.tif 000008
【手続補正書】
【提出日】平成21年1月28日(2009.1.28)
【手続補正１】
【補正対象書類名】実用新案登録請求の範囲
【補正対象項目名】請求項３
【補正方法】変更
【補正の内容】
【請求項３】
請求項１に記載される簡易攪拌混合工具に於いて、鉄製にあっては、ナイロン、フッ素等、耐衝撃性、耐摩耗性に優れた材料で被膜し、また、ステンレス製にあっては、電着などの処置を施す簡易攪拌混合工具。